(57)【要約】【課題】本発明は、ラマン利得をリアルタイムにモニタすることを目的とする。【解決手段】本発明の分布ラマン増幅装置１は、信号光を伝搬する伝送路ファイバ２に、ラマン励起光を出力するラマン励起光源１１と、ラマン励起光が信号光の波長スペクトルを変化させないように、ラマン励起光源１１の出力波長を制御する光源制御部１２と、伝送路ファイバ２の伝搬前後でのラマン励起光の強度を計測する強度計測部１３と、強度計測部１３が計測した伝送路ファイバ２の伝搬前後でのラマン励起光の強度に基づいて、ラマン励起光の伝送路ファイバ２での損失を算出する損失算出部１４と、を備える。【選択図】図１
2012181349.tif 000002
【特許請求の範囲】
【請求項１】
信号光を伝搬する伝送路ファイバに、ラマン励起光を出力するラマン励起光源と、
前記ラマン励起光が前記信号光の波長スペクトルを変化させないように、前記ラマン励起光源の出力波長を制御する光源制御部と、
前記伝送路ファイバの伝搬前後での前記ラマン励起光の強度を計測する強度計測部と、
前記強度計測部が計測した前記伝送路ファイバの伝搬前後での前記ラマン励起光の強度に基づいて、前記ラマン励起光の前記伝送路ファイバでの損失を算出する損失算出部と、
を備えることを特徴とする分布ラマン増幅装置。
【請求項２】
前記損失算出部が算出した前記ラマン励起光の前記伝送路ファイバでの損失に基づいて、前記伝送路ファイバのラマン利得を制御するラマン利得制御部、をさらに備えることを特徴とする、請求項１に記載の分布ラマン増幅装置。
【請求項３】
波長多重された前記信号光の波長スペクトルを計測する波長スペクトル計測部、をさらに備え、
前記光源制御部は、前記波長スペクトル計測部が計測した波長多重された前記信号光の波長スペクトルに基づいて、前記ラマン励起光が波長多重された前記信号光の波長スペクトルを変化させないように、前記ラマン励起光源の出力波長を制御することを特徴とする、請求項１又は２に記載の分布ラマン増幅装置。
【請求項４】
前記光源制御部は、前記ラマン励起光を強度変調し、
前記強度計測部は、前記伝送路ファイバの伝搬前後での前記ラマン励起光の変調強度を計測し、
前記損失算出部は、前記強度計測部が計測した前記伝送路ファイバの伝搬前後での前記ラマン励起光の変調強度に基づいて、前記ラマン励起光の前記伝送路ファイバでの損失を算出することを特徴とする、請求項１から３のいずれかに記載の分布ラマン増幅装置。
【請求項５】
前記強度計測部は、前記ラマン励起光源から出力された前記ラマン励起光の強度を、前記伝送路ファイバの伝搬前での前記ラマン励起光の強度として計測し、前記伝送路ファイバから戻り光として戻った前記ラマン励起光の強度を、前記伝送路ファイバの伝搬後での前記ラマン励起光の強度として計測することを特徴とする、請求項１から４のいずれかに記載の分布ラマン増幅装置。
【請求項６】
ラマン励起光が信号光の波長スペクトルを変化させないように、前記ラマン励起光の出力波長を制御する波長制御ステップと、
前記信号光を伝搬する伝送路ファイバに、前記波長制御ステップで出力波長を制御した前記ラマン励起光を出力する励起光出力ステップと、
前記伝送路ファイバの伝搬前後での前記ラマン励起光の強度を計測する強度計測ステップと、
前記強度計測ステップで計測した前記伝送路ファイバの伝搬前後での前記ラマン励起光の強度に基づいて、前記ラマン励起光の前記伝送路ファイバでの損失を算出する損失算出ステップと、
を順に備えることを特徴とする分布ラマン増幅方法。
【請求項７】
前記損失算出ステップで算出した前記ラマン励起光の前記伝送路ファイバでの損失に基づいて、前記伝送路ファイバのラマン利得を制御するラマン利得制御ステップ、を前記損失算出ステップの後にさらに備えることを特徴とする、請求項６に記載の分布ラマン増幅方法。
【請求項８】
コンピュータに、
ラマン励起光が信号光の波長スペクトルを変化させないように、前記ラマン励起光の出力波長を制御する波長制御手順と、
前記信号光を伝搬する伝送路ファイバに、前記波長制御手順で出力波長を制御した前記ラマン励起光を出力する励起光出力手順と、
前記伝送路ファイバの伝搬前後での前記ラマン励起光の強度を計測する強度計測手順と、
前記強度計測手順で計測した前記伝送路ファイバの伝搬前後での前記ラマン励起光の強度に基づいて、前記ラマン励起光の前記伝送路ファイバでの損失を算出する損失算出手順と、
を順に実行させるための分布ラマン増幅プログラム。
【請求項９】
前記コンピュータに、前記損失算出手順で算出した前記ラマン励起光の前記伝送路ファイバでの損失に基づいて、前記伝送路ファイバのラマン利得を制御するラマン利得制御手順、を前記損失算出手順の後にさらに実行させるための、請求項８に記載の分布ラマン増幅プログラム。
【発明の詳細な説明】
【技術分野】
【０００１】
本発明は、信号光をラマン増幅する分布ラマン増幅技術に関する。
【背景技術】
【０００２】
信号光を増幅する技術として、ファイバ増幅技術及び分布ラマン増幅技術が知られている。分布ラマン増幅技術は、ファイバ増幅技術より、増幅波長帯の自由度が高いため、便利な増幅技術である。分布ラマン増幅技術は、信号光より短波長のラマン励起光を伝送路に入射し、ラマン散乱効果を利用してラマン励起光のエネルギーを信号光に移行することにより、信号光の増幅あるいは信号光の伝送ロスの減少を図ることができる。分布ラマン増幅技術を利用することにより、伝送路の見かけのロスが減少し、ＯＳＮＲ（Ｏｐｔｉｃａｌ  Ｓｉｇｎａｌ  ｔｏ  Ｎｏｉｓｅ  Ｒａｔｉｏ）が改善し、伝送の長距離化を図ることができる。分布ラマン増幅技術は、特許文献１−４などに開示されている。
【先行技術文献】
【特許文献】
【０００３】
【特許文献１】国際公開第２００４／０９１１２１号公報
【特許文献２】特開２００４−２４０２７８号公報
【特許文献３】特開２００６−２８７２４９号公報
【特許文献４】特開２０１０−０９７１８５号公報
【発明の概要】
【発明が解決しようとする課題】
【０００４】
しかし、伝送路に信号光が入射されている状態において、ラマン利得をリアルタイムにモニタすることができない。伝送路ロスは伝送路の物理状況（温度、張力、曲げ）に従って変動するところ、増幅媒体であるファイバの前後の信号パワーをモニタするのみでは、伝送路ロスの変動及びラマン利得の変動を分離することができないからである。
【０００５】
そこで、伝送路に信号光が入射されていない状況において、ラマン利得をモニタすることにより、伝送路ロスの変動の寄与を取り除き、ラマン利得の変動の寄与を取り出すことが考えられる。そして、伝送路に信号光が入射されている状況において、上記のラマン利得のモニタ結果に基づいて、ラマン励起光の強度を制御することにより、目的のラマン利得及び目的の信号光強度を実現することが考えられる。
【０００６】
つまり、特許文献４のように、立ち上げ時に伝送路のラマン利得を演算することはできるが、立ち上げ後に伝送路のラマン利得をリアルタイムにモニタすることができない。よって、立ち上げ後で運用開始後に、伝送路ロスの変動が発生すると、ラマン利得の変動に対応できない。そこで、伝送路ロスの変動及びラマン利得の変動に対応するために、伝送設計のマージンを多く取っているが、分布ラマン増幅の利点を生かしきれていない。
【０００７】
そこで、前記課題を解決するために、本発明は、ラマン利得をリアルタイムにモニタすることができる技術を提供することを目的とする。
【課題を解決するための手段】
【０００８】
上記目的を達成するために、本発明の分布ラマン増幅装置は、信号光を伝搬する伝送路ファイバに、ラマン励起光を出力するラマン励起光源と、前記ラマン励起光が前記信号光の波長スペクトルを変化させないように、前記ラマン励起光源の出力波長を制御する光源制御部と、前記伝送路ファイバの伝搬前後での前記ラマン励起光の強度を計測する強度計測部と、前記強度計測部が計測した前記伝送路ファイバの伝搬前後での前記ラマン励起光の強度に基づいて、前記ラマン励起光の前記伝送路ファイバでの損失を算出する損失算出部と、を備える。
【０００９】
また、上記目的を達成するために、本発明の分布ラマン増幅方法は、ラマン励起光が信号光の波長スペクトルを変化させないように、前記ラマン励起光の出力波長を制御する波長制御ステップと、前記信号光を伝搬する伝送路ファイバに、前記波長制御ステップで出力波長を制御した前記ラマン励起光を出力する励起光出力ステップと、前記伝送路ファイバの伝搬前後での前記ラマン励起光の強度を計測する強度計測ステップと、前記強度計測ステップで計測した前記伝送路ファイバの伝搬前後での前記ラマン励起光の強度に基づいて、前記ラマン励起光の前記伝送路ファイバでの損失を算出する損失算出ステップと、を順に備える。
【００１０】
また、上記目的を達成するために、本発明の分布ラマン増幅プログラムは、コンピュータに、ラマン励起光が信号光の波長スペクトルを変化させないように、前記ラマン励起光の出力波長を制御する波長制御手順と、前記信号光を伝搬する伝送路ファイバに、前記波長制御手順で出力波長を制御した前記ラマン励起光を出力する励起光出力手順と、前記伝送路ファイバの伝搬前後での前記ラマン励起光の強度を計測する強度計測手順と、前記強度計測手順で計測した前記伝送路ファイバの伝搬前後での前記ラマン励起光の強度に基づいて、前記ラマン励起光の前記伝送路ファイバでの損失を算出する損失算出手順と、を順に実行させる。
【発明の効果】
【００１１】
本発明は、ラマン利得をリアルタイムにモニタすることができる技術を提供することができる。
【図面の簡単な説明】
【００１２】
【図１】実施形態１の分布ラマン増幅装置の構成を示す図である。
【図２】実施形態１の分布ラマン増幅装置の処理を示す図である。
【図３】実施形態２の分布ラマン増幅装置の構成を示す図である。
【図４】実施形態２の分布ラマン増幅装置の処理を示す図である。
【発明を実施するための形態】
【００１３】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。
【００１４】
（実施形態１）
実施形態１の分布ラマン増幅装置の構成を図１に示す。実施形態１の分布ラマン増幅装置１は、ラマン励起光源１１、光源制御部１２、強度計測部１３及び損失算出部１４から構成される。実施形態１の伝送路は、伝送路ファイバ２、信号光／励起光合分波器３及びカプラ４から構成される。
【００１５】
ラマン励起光源１１は、信号光を伝搬する伝送路ファイバ２に、ラマン励起光を出力する。例えば、ラマン励起光源１１は、信号光／励起光合分波器３を介して、ラマン励起光を出力する。光源制御部１２は、ラマン励起光が信号光の波長スペクトルを変化させないように、ラマン励起光源１１の出力波長を制御する。
【００１６】
例えば、光源制御部１２は、波長多重された信号光の波長スペクトルを参照し、使用されている波長帯域をラマン増幅が作用する波長帯域に含めないようにし、使用されていない波長帯域をラマン増幅が作用する波長帯域に含めるようにする。つまり、信号光が波長多重されている場合、現時点で使用されている波長帯域を、ラマン増幅が作用する波長帯域に含めないようにし、現時点で使用されていない波長帯域を、ラマン増幅が作用する波長帯域に含めるようにする。ただし、現時点で使用されていない波長帯域では、信号光が存在せず、ラマン増幅は実質的には作用せず、信号光の波長スペクトルを変化させない。
【００１７】
強度計測部１３は、伝送路ファイバ２の伝搬前後でのラマン励起光の強度を計測する。例えば、強度計測部１３は、伝送路ファイバ２の伝搬前でのラマン励起光の強度として、ラマン励起光源１１からのラマン励起光の強度を計測し、伝送路ファイバ２の伝搬後でのラマン励起光の強度として、カプラ４からのラマン励起光の強度を計測する。損失算出部１４は、強度計測部１３が計測した伝送路ファイバ２の伝搬前後でのラマン励起光の強度に基づいて、ラマン励起光の伝送路ファイバ２での損失を算出する。
【００１８】
実施形態１の分布ラマン増幅装置の処理を図２に示す。波長制御ステップでは、光源制御部１２が、ラマン励起光が信号光の波長スペクトルを変化させないように、ラマン励起光の出力波長を制御する（ステップＳ１）。励起光出力ステップでは、ラマン励起光源１１が、信号光を伝搬する伝送路ファイバ２に、波長制御ステップで出力波長を制御したラマン励起光を出力する（ステップＳ２）。
【００１９】
強度計測ステップでは、強度計測部１３が、伝送路ファイバ２の伝搬前後でのラマン励起光の強度を計測する（ステップＳ３）。損失算出ステップでは、損失算出部１４が、強度計測ステップで計測した伝送路ファイバ２の伝搬前後でのラマン励起光の強度に基づいて、ラマン励起光の伝送路ファイバ２での損失を算出する（ステップＳ４）。
【００２０】
図２を用いて説明した処理を実行するために、波長制御手順、励起光出力手順、強度計測手順及び損失算出手順を含む分布ラマン増幅プログラムを、コンピュータにインストールしてもよい。
【００２１】
以上に説明したように、光源制御部１２は、ラマン励起光が信号光の波長スペクトルを変化させないように、ラマン励起光源１１の出力波長を制御する。よって、ラマン励起光の伝送路ファイバ２への入射前後において、ラマン利得は変化するが伝送路ロスは変化しない。よって、分布ラマン増幅装置１は、伝送路ファイバ２に信号光が入射されているときであっても、つまり立ち上げ後で運用開始後であっても、ラマン利得の寄与を伝送路ロスの寄与と分離して、ラマン励起光の伝送路ファイバ２での損失をリアルタイムに算出することができる。さらに、後述するように、分布ラマン増幅装置１は、算出したラマン励起光の伝送路ファイバ２での損失に基づいて、伝送路ファイバ２のラマン利得を制御することができる。
【００２２】
（実施形態２）
実施形態２の分布ラマン増幅装置の構成を図３に示す。実施形態２の分布ラマン増幅装置１は、ラマン励起光源１１−１、１１−２、・・・、１１−ｉ、・・・、１１−ｎ、コントロール回路１５、駆動回路１６、励起光／励起光合波器１７、サーキュレータ１８、光チャネルモニタ１９、可変バンドパスフィルタ２０、反射戻り光モニタ２１から構成される。実施形態２の伝送路は、伝送路ファイバ２、信号光／励起光合分波器３及びカプラ４から構成される。
【００２３】
ラマン励起光源１１−１、１１−２、・・・、１１−ｉ、・・・、１１−ｎは、波長多重された信号光を伝搬する伝送路ファイバ２に、ラマン励起光を出力する。具体的には、ラマン励起光源１１−１、１１−２、・・・、１１−ｉ、・・・、１１−ｎは、それぞれ波長λ１、λ２、・・・、λｉ、・・・、λｎを有するラマン励起光を出力する。駆動回路１６は、コントロール回路１５から制御信号を入力し、ラマン励起光源１１−１、１１−２、・・・、１１−ｉ、・・・、１１−ｎを駆動する。励起光／励起光合波器１７は、ラマン励起光源１１−１、１１−２、・・・、１１−ｉ、・・・、１１−ｎからラマン励起光を入力し、ラマン励起光同士を合波する。
【００２４】
分布ラマン増幅装置１から伝送路ファイバ２に入る入射光は、サーキュレータ１８及び信号光／励起光合分波器３を介して、図３の左側の伝送路ファイバ２へと入る。伝送路ファイバ２から分布ラマン増幅装置１に戻る戻り光は、信号光／励起光合分波器３及びサーキュレータ１８を介して、可変バンドパスフィルタ２０へと入る。波長多重された信号光は、伝送路ファイバ２を、図３の左側から右側へと伝送する。実施形態２では、ラマン励起光を伝送路後方から入射する後方励起方式を採用しているが、他の実施形態で、ラマン励起光を伝送路前方から入射する前方励起方式を採用してもよい。
【００２５】
光チャネルモニタ１９は、波長スペクトル計測部として、波長多重された信号光をカプラ４を介して入力し、波長多重された信号光の波長スペクトルを計測する。コントロール回路１５は、光源制御部１２として、光チャネルモニタ１９が計測した波長多重された信号光の波長スペクトルに基づいて、ラマン励起光が波長多重された信号光の波長スペクトルを変化させないように、ラマン励起光源１１の出力波長を制御する。具体的には、コントロール回路１５は、ラマン励起光源１１−１、１１−２、・・・、１１−ｉ、・・・、１１−ｎのうちから、駆動回路１６の駆動対象を選択する。
【００２６】
可変バンドパスフィルタ２０は、コントロール回路１５の制御に基づいて、可変バンドパスフィルタ２０の透過波長をラマン励起光源１１の出力波長に一致させ、ラマン励起光の戻り光を透過する。反射戻り光モニタ２１は、強度計測部１３として、伝送路ファイバ２から戻り光として戻ったラマン励起光の強度を、伝送路ファイバ２の伝搬後でのラマン励起光の強度として計測する。コントロール回路１５は、強度計測部１３として、ラマン励起光源１１から出力されたラマン励起光の強度を、伝送路ファイバ２の伝搬前でのラマン励起光の強度として計測する。
【００２７】
コントロール回路１５は、損失算出部１４として、強度計測部１３としてのコントロール回路１５及び反射戻り光モニタ２１が計測した伝送路ファイバ２の伝搬前後でのラマン励起光の強度に基づいて、ラマン励起光の伝送路ファイバ２での損失を算出する。具体的には、コントロール回路１５は、ＯＴＤＲ（Ｏｐｔｉｃａｌ  Ｔｉｍｅ  Ｄｏｍａｉｎ  Ｒｅｆｌｅｃｔｏｍｅｔｅｒ）の原理に従って、戻り光の時差及び戻り光の強度の関係に基づいて、ラマン励起光の伝送路ファイバ２での損失を算出する。コントロール回路１５は、ラマン利得制御部として、損失算出部１４としてのコントロール回路１５が算出したラマン励起光の伝送路ファイバ２での損失に基づいて、伝送路ファイバ２のラマン利得を制御する。
【００２８】
コントロール回路１５は、光源制御部１２として、ラマン励起光を強度変調することもできる。反射戻り光モニタ２１は、強度計測部１３として、伝送路ファイバ２の伝搬後でのラマン励起光の変調強度を計測することができ、コントロール回路１５は、強度計測部１３として、伝送路ファイバ２の伝搬前でのラマン励起光の変調強度を計測することができる。コントロール回路１５は、損失算出部１４として、強度計測部１３としてのコントロール回路１５及び反射戻り光モニタ２１が計測した伝送路ファイバ２の伝搬前後でのラマン励起光の変調強度に基づいて、ラマン励起光の伝送路ファイバ２での損失を算出することができる。
【００２９】
実施形態２の分布ラマン増幅装置の処理を図４に示す。波長スペクトル計測ステップでは、光チャネルモニタ１９が、波長多重された信号光の波長スペクトルを計測する（ステップＳ１１）。波長制御ステップでは、コントロール回路１５が、波長スペクトル計測ステップで計測した波長多重された信号光の波長スペクトルに基づいて、ラマン励起光が信号光の波長スペクトルを変化させないように、ラマン励起光の出力波長を制御する（ステップＳ１２）。励起光出力ステップでは、ラマン励起光源１１が、ラマン励起光を強度変調し、波長多重された信号光を伝搬する伝送路ファイバ２に、波長制御ステップで出力波長を制御したラマン励起光を出力する（ステップＳ１３）。
【００３０】
強度計測ステップでは、コントロール回路１５が、励起光出力ステップで出力したラマン励起光の変調強度を、伝送路ファイバ２の伝搬前でのラマン励起光の変調強度として計測する（ステップＳ１４）。反射戻り光モニタ２１が、伝送路ファイバ２から戻り光として戻ったラマン励起光の変調強度を、伝送路ファイバ２の伝搬後でのラマン励起光の変調強度として計測する（ステップＳ１５）。ステップＳ１４、Ｓ１５の順序は問わない。
【００３１】
損失算出ステップでは、コントロール回路１５が、強度計測ステップで計測した伝送路ファイバ２の伝搬前後でのラマン励起光の変調強度に基づいて、ラマン励起光の伝送路ファイバ２での損失を算出する（ステップＳ１６）。ラマン利得制御ステップでは、損失算出ステップで算出したラマン励起光の伝送路ファイバ２での損失に基づいて、伝送路ファイバ２のラマン利得を制御する（ステップＳ１７）。
【００３２】
図４を用いて説明した処理を実行するために、波長スペクトル計測手順、波長制御手順、励起光出力手順、強度計測手順、損失算出手順及びラマン利得制御手順を含む分布ラマン増幅プログラムを、コンピュータにインストールしてもよい。
【００３３】
コントロール回路１５は、算出したラマン励起光の伝送路ファイバ２での損失に基づいて、伝送路ファイバ２のラマン利得を制御する。よって、分布ラマン増幅装置１は、伝送路ファイバ２に信号光が入射されているときであっても、つまり立ち上げ後で運用開始後であっても、伝送路ファイバ２のラマン利得をリアルタイムに制御することができる。
【００３４】
光チャネルモニタ１９は、波長多重された信号光の波長スペクトルを計測し、コントロール回路１５は、波長多重された信号光の波長スペクトルに基づいて、ラマン励起光が波長多重された信号光の波長スペクトルを変化させないように、ラマン励起光源１１の出力波長を制御する。よって、分布ラマン増幅装置１は、現時点の信号光の波長スペクトルに応じて、伝送路ファイバ２のラマン利得をリアルタイムに制御することができる。
【００３５】
ラマン励起光源１１は、ラマン励起光を強度変調し、コントロール回路１５は、伝送路ファイバ２の伝搬前後でのラマン励起光の変調強度に基づいて、ラマン励起光の伝送路ファイバ２での損失を算出する方法を採用できる。分布ラマン増幅装置１は、ＯＴＤＲの原理に従って、伝搬前におけるラマン励起光の強度及び戻り光としてのラマン励起光の強度に基づいて、ラマン励起光の伝送路ファイバ２での損失を算出する方法を採用できる。
【００３６】
（変形例）
実施形態２では、波長多重されている複数波長の信号光を伝送する光通信システムを想定している。変形例では、波長多重されていない単一波長の信号光を伝送する光通信システムを想定している。ラマン励起光の波長の種類は１種類であり、ラマン励起光が信号光の波長スペクトルを変化させないように、ラマン励起光の波長が選択されている。図３において、励起光／励起光合波器１７、カプラ４及び光チャネルモニタ１９は不要であり、可変バンドパスフィルタ２０は固定バンドパスフィルタに置換可能である。
【００３７】
上記の実施形態の一部又は全部は、以下の付記のようにも記載されうるが、以下には限られない。
【００３８】
（付記１）
信号光を伝搬する伝送路ファイバに、ラマン励起光を出力するラマン励起光源と、
前記ラマン励起光が前記信号光の波長スペクトルを変化させないように、前記ラマン励起光源の出力波長を制御する光源制御部と、
前記伝送路ファイバの伝搬前後での前記ラマン励起光の強度を計測する強度計測部と、
前記強度計測部が計測した前記伝送路ファイバの伝搬前後での前記ラマン励起光の強度に基づいて、前記ラマン励起光の前記伝送路ファイバでの損失を算出する損失算出部と、
を備えることを特徴とする分布ラマン増幅装置。
（付記２）
前記損失算出部が算出した前記ラマン励起光の前記伝送路ファイバでの損失に基づいて、前記伝送路ファイバのラマン利得を制御するラマン利得制御部、をさらに備えることを特徴とする、付記１に記載の分布ラマン増幅装置。
（付記３）
波長多重された前記信号光の波長スペクトルを計測する波長スペクトル計測部、をさらに備え、
前記光源制御部は、前記波長スペクトル計測部が計測した波長多重された前記信号光の波長スペクトルに基づいて、前記ラマン励起光が波長多重された前記信号光の波長スペクトルを変化させないように、前記ラマン励起光源の出力波長を制御することを特徴とする、付記１又は２に記載の分布ラマン増幅装置。
（付記４）
前記光源制御部は、前記ラマン励起光を強度変調し、
前記強度計測部は、前記伝送路ファイバの伝搬前後での前記ラマン励起光の変調強度を計測し、
前記損失算出部は、前記強度計測部が計測した前記伝送路ファイバの伝搬前後での前記ラマン励起光の変調強度に基づいて、前記ラマン励起光の前記伝送路ファイバでの損失を算出することを特徴とする、付記１から３のいずれかに記載の分布ラマン増幅装置。
（付記５）
前記強度計測部は、前記ラマン励起光源から出力された前記ラマン励起光の強度を、前記伝送路ファイバの伝搬前での前記ラマン励起光の強度として計測し、前記伝送路ファイバから戻り光として戻った前記ラマン励起光の強度を、前記伝送路ファイバの伝搬後での前記ラマン励起光の強度として計測することを特徴とする、付記１から４のいずれかに記載の分布ラマン増幅装置。
（付記６）
ラマン励起光が信号光の波長スペクトルを変化させないように、前記ラマン励起光の出力波長を制御する波長制御ステップと、
前記信号光を伝搬する伝送路ファイバに、前記波長制御ステップで出力波長を制御した前記ラマン励起光を出力する励起光出力ステップと、
前記伝送路ファイバの伝搬前後での前記ラマン励起光の強度を計測する強度計測ステップと、
前記強度計測ステップで計測した前記伝送路ファイバの伝搬前後での前記ラマン励起光の強度に基づいて、前記ラマン励起光の前記伝送路ファイバでの損失を算出する損失算出ステップと、
を順に備えることを特徴とする分布ラマン増幅方法。
（付記７）
前記損失算出ステップで算出した前記ラマン励起光の前記伝送路ファイバでの損失に基づいて、前記伝送路ファイバのラマン利得を制御するラマン利得制御ステップ、を前記損失算出ステップの後にさらに備えることを特徴とする、付記６に記載の分布ラマン増幅方法。
（付記８）
波長多重された前記信号光の波長スペクトルを計測する波長スペクトル計測ステップ、を前記波長制御ステップの前にさらに備え、
前記波長制御ステップでは、前記波長スペクトル計測ステップで計測した波長多重された前記信号光の波長スペクトルに基づいて、前記ラマン励起光が波長多重された前記信号光の波長スペクトルを変化させないように、前記ラマン励起光の出力波長を制御することを特徴とする、付記６又は７に記載の分布ラマン増幅方法。
（付記９）
前記励起光出力ステップでは、前記ラマン励起光を強度変調し、
前記強度計測ステップでは、前記伝送路ファイバの伝搬前後での前記ラマン励起光の変調強度を計測し、
前記損失算出ステップでは、前記強度計測ステップで計測した前記伝送路ファイバの伝搬前後での前記ラマン励起光の変調強度に基づいて、前記ラマン励起光の前記伝送路ファイバでの損失を算出することを特徴とする、付記６から８のいずれかに記載の分布ラマン増幅方法。
（付記１０）
前記強度計測ステップでは、前記励起光出力ステップで出力した前記ラマン励起光の強度を、前記伝送路ファイバの伝搬前での前記ラマン励起光の強度として計測し、前記伝送路ファイバから戻り光として戻った前記ラマン励起光の強度を、前記伝送路ファイバの伝搬後での前記ラマン励起光の強度として計測することを特徴とする、付記６から９のいずれかに記載の分布ラマン増幅方法。
（付記１１）
コンピュータに、
ラマン励起光が信号光の波長スペクトルを変化させないように、前記ラマン励起光の出力波長を制御する波長制御手順と、
前記信号光を伝搬する伝送路ファイバに、前記波長制御手順で出力波長を制御した前記ラマン励起光を出力する励起光出力手順と、
前記伝送路ファイバの伝搬前後での前記ラマン励起光の強度を計測する強度計測手順と、
前記強度計測手順で計測した前記伝送路ファイバの伝搬前後での前記ラマン励起光の強度に基づいて、前記ラマン励起光の前記伝送路ファイバでの損失を算出する損失算出手順と、
を順に実行させるための分布ラマン増幅プログラム。
（付記１２）
前記コンピュータに、前記損失算出手順で算出した前記ラマン励起光の前記伝送路ファイバでの損失に基づいて、前記伝送路ファイバのラマン利得を制御するラマン利得制御手順、を前記損失算出手順の後にさらに実行させるための、付記１１に記載の分布ラマン増幅プログラム。
（付記１３）
前記コンピュータに、波長多重された前記信号光の波長スペクトルを計測する波長スペクトル計測手順、を前記波長制御手順の前にさらに実行させ、
前記波長制御手順では、前記波長スペクトル計測手順で計測した波長多重された前記信号光の波長スペクトルに基づいて、前記ラマン励起光が波長多重された前記信号光の波長スペクトルを変化させないように、前記ラマン励起光の出力波長を制御することを特徴とする、付記１１又は１２に記載の分布ラマン増幅プログラム。
（付記１４）
前記励起光出力手順では、前記ラマン励起光を強度変調し、
前記強度計測手順では、前記伝送路ファイバの伝搬前後での前記ラマン励起光の変調強度を計測し、
前記損失算出手順では、前記強度計測手順で計測した前記伝送路ファイバの伝搬前後での前記ラマン励起光の変調強度に基づいて、前記ラマン励起光の前記伝送路ファイバでの損失を算出することを特徴とする、付記１１から１３のいずれかに記載の分布ラマン増幅プログラム。
（付記１５）
前記強度計測手順では、前記励起光出力手順で出力した前記ラマン励起光の強度を、前記伝送路ファイバの伝搬前での前記ラマン励起光の強度として計測し、前記伝送路ファイバから戻り光として戻った前記ラマン励起光の強度を、前記伝送路ファイバの伝搬後での前記ラマン励起光の強度として計測することを特徴とする、付記１１から１４のいずれかに記載の分布ラマン増幅プログラム。
【産業上の利用可能性】
【００３９】
本発明に係る分布ラマン増幅装置、分布ラマン増幅方法及び分布ラマン増幅プログラム    は、波長多重光伝送システムなどにおいて、季節変動などにより伝送路ロス及びラマン利得が変動するときであっても、ラマン利得をリアルタイムにモニタすることにより、目的のラマン利得及び目的の信号光強度を実現するにあたって、適用することができる。
【符号の説明】
【００４０】
１：分布ラマン増幅装置
２：伝送路ファイバ
３：信号光／励起光合分波器
４：カプラ
１１：ラマン励起光源
１２：光源制御部
１３：強度計測部
１４：損失算出部
１５：コントロール回路
１６：駆動回路
１７：励起光／励起光合波器
１８：サーキュレータ
１９：光チャネルモニタ
２０：可変バンドパスフィルタ
２１：反射戻り光モニタ
【図１】
2012181349.tif 000003
【図２】
2012181349.tif 000004
【図３】
2012181349.tif 000005
【図４】
2012181349.tif 000006